(57)【特許請求の範囲】
【請求項１】
基地局であって、
複数のアップリンク・キャリアに対するフィードバックを送信するために、第１のダウンリンク・キャリアにおけるリソースを確保することと、ここで、前記第１のダウンリンク・キャリアは、複数のダウンリンク・キャリアのうちの１つであり、前記複数のアップリンク・キャリアは、ＮＲＢ１個のアップリンク・リソース・ブロックを備える第１のアップリンク・キャリアと、ＮＲＢ２個のアップリンク・リソース・ブロックを備える第２のアップリンク・キャリアとを備え、１乃至ＮＲＢ１と符番されたアップリンク・リソース・ブロックに対応する、前記第１のダウンリンク・キャリアにおいて確保されたリソースが、前記第１のアップリンク・キャリアに対するフィードバックを送信するために割り当てられ、ＮＲＢ１＋１乃至ＮＲＢ１＋ＮＲＢ２と符番されたアップリンク・リソース・ブロックに対応する、前記第１のダウンリンク・キャリアにおいて確保されたリソースが、前記第２のアップリンク・キャリアに対するフィードバックを送信するために割り当てられ、前記確保されたリソースは、アップリンク・キャリアで受信されたデータ送信の復号の成功または失敗を示すインジケーションを提供する物理チャネルに対応するリソース要素を備え、１乃至ＮＲＢ２と符番されたアップリンク・リソース・ブロックに対応する、第２のダウンリンク・キャリアにおけるリソースが、前記第２のアップリンク・キャリアに対するフィードバックを送信するために割り当てられる、
前記第１のダウンリンク・キャリアにおいて１乃至ＮＲＢ１と符番されたリソース・ブロックを、シングル・キャリア・アクセス端末およびマルチ・キャリア・アクセス端末のために確保することと、
を実行するように構成されたコントローラと、
少なくとも１つのアップリンク・キャリアの使用の許可を示すアップリンク許可を生成することと、
前記第１のダウンリンク・キャリアで送信されるフィードバックを生成することと、ここで、前記フィードバックは、前記少なくとも１つのアップリンク・キャリアで受信されたデータ送信の復号の成功または失敗を示すインジケーションを備える、
を実行するように構成されたプロセッサと
備える基地局。
【請求項２】
前記コントローラはさらに、前記シングル・キャリア・アクセス端末および前記マルチキャリア・アクセス端末のためのリソースを確保するように構成された、請求項１に記載の基地局。
【請求項３】
前記コントローラはさらに、前記第１のダウンリンク・キャリアで、前記複数のアップリンク・キャリアの複数のアップリンク許可を送信するように構成された、請求項１に記載の基地局。
【請求項４】
前記アップリンク許可は、マルチキャリア・アップリンク許可である、請求項１に記載の基地局。
【請求項５】
前記第１のダウンリンク・キャリアにおける１＋ＮＲＢ１乃至ＮＲＢ１＋ＮＲＢ２と符番されたリソース・ブロックが、前記マルチキャリア・アクセス端末のために確保される、請求項１に記載の基地局。
【請求項６】
前記第２のダウンリンク・キャリアにおける１乃至ＮＲＢ２と符番されたリソース・ブロックが、前記シングル・キャリア・アクセス端末のために確保される、請求項１に記載の基地局。
【請求項７】
前記少なくとも１つのアップリンク・キャリアのアップリンク・リソース・ブロックに対応する前記第１のダウンリンク・キャリアにおけるリソースが、前記少なくとも１つのアップリンク・キャリアのためのフィードバックを伝送するために割り当てられる、請求項１に記載の基地局。
【請求項８】
無線通信のために基地局によって実施される方法であって、
複数のアップリンク・キャリアに対するフィードバックを送信するために、第１のダウンリンク・キャリアにおけるリソースを確保することと、ここで、前記第１のダウンリンク・キャリアは、複数のダウンリンク・キャリアのうちの１つであり、前記複数のアップリンク・キャリアは、ＮＲＢ１個のアップリンク・リソース・ブロックを備える第１のアップリンク・キャリアと、ＮＲＢ２個のアップリンク・リソース・ブロックを備える第２のアップリンク・キャリアとを備え、１乃至ＮＲＢ１と符番されたアップリンク・リソース・ブロックに対応する、前記第１のダウンリンク・キャリアにおいて確保されたリソースが、前記第１のアップリンク・キャリアに対するフィードバックを送信するために割り当てられ、ＮＲＢ１＋１乃至ＮＲＢ１＋ＮＲＢ２と符番されたアップリンク・リソース・ブロックに対応する、前記第１のダウンリンク・キャリアにおいて確保されたリソースが、前記第２のアップリンク・キャリアに対するフィードバックを送信するために割り当てられ、前記確保されたリソースは、アップリンク・キャリアで受信されたデータ送信の復号の成功または失敗を示すインジケーションを提供する物理チャネルに対応するリソース要素を備え、１乃至ＮＲＢ２と符番されたアップリンク・リソース・ブロックに対応する、第２のダウンリンク・キャリアにおけるリソースが、前記第２のアップリンク・キャリアに対するフィードバックを送信するために割り当てられる、
前記第１のダウンリンク・キャリアにおいて１乃至ＮＲＢ１と符番されたリソース・ブロックを、シングル・キャリア・アクセス端末およびマルチ・キャリア・アクセス端末のために確保することと、
少なくとも１つのアップリンク・キャリアの使用の許可を示すアップリンク許可を生成することと、
前記第１のダウンリンク・キャリアで送信されるフィードバックを生成することと
を備え、ここで、前記フィードバックは、前記少なくとも１つのアップリンク・キャリアで受信されたデータ送信の復号の成功または失敗を示すインジケーションを備える、方法。
【請求項９】
前記確保することは、前記シングル・キャリア・アクセス端末および前記マルチキャリア・アクセス端末のためのリソースを確保することを備える、請求項８に記載の方法。
【請求項１０】
前記第１のダウンリンク・キャリアで、前記複数のアップリンク・キャリアの複数のアップリンク許可を送信することをさらに備える、請求項８に記載の方法。
【請求項１１】
前記アップリンク許可は、マルチキャリア・アップリンク許可である、請求項８に記載の方法。
【請求項１２】
前記第１のダウンリンク・キャリアにおいて１＋ＮＲＢ１乃至ＮＲＢ１＋ＮＲＢ２と符番されたリソース・ブロックが、前記マルチキャリア・アクセス端末のために確保される、請求項８に記載の方法。
【請求項１３】
前記第２のダウンリンク・キャリアにおいて１乃至ＮＲＢ２と符番されたリソース・ブロックが、前記シングル・キャリア・アクセス端末のために確保される、請求項８に記載の方法。
【請求項１４】
前記少なくとも１つのアップリンク・キャリアのアップリンク・リソース・ブロックに対応する第１のダウンリンク・キャリアにおけるリソースが、前記少なくとも１つのアップリンク・キャリアのためのフィードバックを伝送するために割り当てられる、請求項８に記載の方法。
【請求項１５】
基地局であって、
複数のアップリンク・キャリアに対するフィードバックを送信するために、第１のダウンリンク・キャリアにおけるリソースを確保する手段と、ここで、前記第１のダウンリンク・キャリアは、複数のダウンリンク・キャリアのうちの１つであり、前記複数のアップリンク・キャリアは、ＮＲＢ１個のアップリンク・リソース・ブロックを備える第１のアップリンク・キャリアと、ＮＲＢ２個のアップリンク・リソース・ブロックを備える第２のアップリンク・キャリアとを備え、１乃至ＮＲＢ１と符番されたアップリンク・リソース・ブロックに対応する、前記第１のダウンリンク・キャリアにおいて確保されたリソースが、前記第１のアップリンク・キャリアに対するフィードバックを送信するために割り当てられ、ＮＲＢ１＋１乃至ＮＲＢ１＋ＮＲＢ２と符番されたアップリンク・リソース・ブロックに対応する、前記第１のダウンリンク・キャリアにおいて確保されたリソースが、前記第２のアップリンク・キャリアに対するフィードバックを送信するために割り当てられ、前記確保されたリソースは、アップリンク・キャリアで受信されたデータ送信の復号の成功または失敗を示すインジケーションを提供する物理チャネルに対応するリソース要素を備え、１乃至ＮＲＢ２と符番されたアップリンク・リソース・ブロックに対応する、第２のダウンリンク・キャリアにおけるリソースが、前記第２のアップリンク・キャリアに対するフィードバックを送信するために割り当てられる、
前記第１のダウンリンク・キャリアにおいて１乃至ＮＲＢ１と符番されたリソース・ブロックを、シングル・キャリア・アクセス端末およびマルチ・キャリア・アクセス端末のために確保する手段と、
少なくとも１つのアップリンク・キャリアの使用の許可を示すアップリンク許可を生成する手段と、
前記第１のダウンリンク・キャリアで送信されるフィードバックを生成する手段と
を備え、ここで、前記フィードバックは、前記少なくとも１つのアップリンク・キャリアで受信されたデータ送信の復号の成功または失敗を示すインジケーションを備える、基地局。
【請求項１６】
前記シングル・キャリア・アクセス端末および前記マルチキャリア・アクセス端末のためのリソースを確保する手段をさらに備える、請求項１５に記載の装置。
【請求項１７】
前記第１のダウンリンク・キャリアで、前記複数のアップリンク・キャリアの複数のアップリンク許可を送信する手段をさらに備える、請求項１５に記載の装置。
【請求項１８】
前記アップリンク許可は、マルチキャリア・アップリンク許可である、請求項１５に記載の装置。
【請求項１９】
前記第１のダウンリンク・キャリアおいて１＋ＮＲＢ１乃至ＮＲＢ１＋ＮＲＢ２と符番されたリソース・ブロックが、前記マルチキャリア・アクセス端末のために確保される、請求項１５に記載の装置。
【請求項２０】
前記第２のダウンリンク・キャリアにおいて１乃至ＮＲＢ２と符番されたリソース・ブロックが、前記シングル・キャリア・アクセス端末のために確保される、請求項１５に記載の装置。
【請求項２１】
前記少なくとも１つのアップリンク・キャリアのアップリンク・リソース・ブロックに対応する前記第１のダウンリンク・キャリアにおけるリソースが、前記少なくとも１つのアップリンク・キャリアのためのフィードバックを伝送するために割り当てられる、請求項１５に記載の装置。
【請求項２２】
無線通信のために基地局において実行されるコンピュータ・プログラムであって、
複数のアップリンク・キャリアに対するフィードバックを送信するために、第１のダウンリンク・キャリアにおけるリソースを確保する手順と、ここで、前記第１のダウンリンク・キャリアは、複数のダウンリンク・キャリアのうちの１つであり、前記複数のアップリンク・キャリアは、ＮＲＢ１個のアップリンク・リソース・ブロックを備える第１のアップリンク・キャリアと、ＮＲＢ２個のアップリンク・リソース・ブロックを備える第２のアップリンク・キャリアとを備え、１乃至ＮＲＢ１と符番されたアップリンク・リソース・ブロックに対応する、前記第１のダウンリンク・キャリアにおいて確保されたリソースが、前記第１のアップリンク・キャリアに対するフィードバックを送信するために割り当てられ、ＮＲＢ１＋１乃至ＮＲＢ１＋ＮＲＢ２と符番されたアップリンク・リソース・ブロックに対応する、前記第１のダウンリンク・キャリアにおいて確保されたリソースが、前記第２のアップリンク・キャリアに対するフィードバックを送信するために割り当てられ、前記確保されたリソースは、アップリンク・キャリアで受信されたデータ送信の復号の成功または失敗を示すインジケーションを提供する物理チャネルに対応するリソース要素を備え、１乃至ＮＲＢ２と符番されたアップリンク・リソース・ブロックに対応する、第２のダウンリンク・キャリアにおけるリソースが、前記第２のアップリンク・キャリアに対するフィードバックを送信するために割り当てられる、
前記第１のダウンリンク・キャリアにおいて１乃至ＮＲＢ１と符番されたリソース・ブロックを、シングル・キャリア・アクセス端末およびマルチ・キャリア・アクセス端末のために確保する手順と、
少なくとも１つのアップリンク・キャリアの使用の許可を示すアップリンク許可を生成する手順と、
前記第１のダウンリンク・キャリアで送信されるフィードバックを生成する手順と
をコンピュータに実行させ、ここで、前記フィードバックは、前記少なくとも１つのアップリンク・キャリアで受信されたデータ送信の復号の成功または失敗を示すインジケーションを備える、コンピュータ・プログラム。
【請求項２３】
前記コンピュータに、前記シングル・キャリア・アクセス端末および前記マルチキャリア・アクセス端末のためのリソースを確保する手順をさらに実行させる、請求項２２に記載のコンピュータ・プログラム。
【請求項２４】
前記コンピュータに、前記第１のダウンリンク・キャリアで、前記複数のアップリンク・キャリアの複数のアップリンク許可を送信する手順を実行させる、請求項２２に記載のコンピュータ・プログラム。
【請求項２５】
前記アップリンク許可は、マルチキャリア・アップリンク許可である、請求項２２に記載のコンピュータ・プログラム。
【請求項２６】
前記第１のダウンリンク・キャリアにおいて１＋ＮＲＢ１乃至ＮＲＢ１＋ＮＲＢ２と符番されたリソース・ブロックが、前記マルチキャリア・アクセス端末のために確保される、請求項２２に記載のコンピュータ・プログラム。
【請求項２７】
前記第２のダウンリンク・キャリアにおいて１乃至ＮＲＢ２と符番されたリソース・ブロックが、前記シングル・キャリア・アクセス端末のために確保される、請求項２２に記載のコンピュータ・プログラム。
【請求項２８】
前記少なくとも１つのアップリンク・キャリアのアップリンク・リソース・ブロックに対応する前記第１のダウンリンク・キャリアにおけるリソースが、前記少なくとも１つのアップリンク・キャリアのためのフィードバックを伝送するために割り当てられる、請求項２２に記載のコンピュータ・プログラム。
【請求項２９】
無線端末であって、
複数のダウンリンク・キャリアのうちの第１のダウンリンク・キャリアで、少なくとも１つのアップリンク・キャリアの使用の許可を示すに関するアップリンク許可を受信すること、
を実行するように構成されたコントローラと、
前記第１のダウンリンク・キャリアでフィードバックを受信すること、ここで、前記フィードバックは、前記少なくとも１つのアップリンク・キャリアで送信されたデータ送信の復号の成功または失敗を示すインジケーションを備える、
を実行するように構成されたプロセッサと
を備え、
前記第１のダウンリンク・キャリアにおけるリソースは、複数のアップリンク・キャリアに対するフィードバックを送信するために確保され、前記複数のアップリンク・キャリアは、ＮＲＢ１個のアップリンク・リソース・ブロックを備える第１のアップリンク・キャリアと、ＮＲＢ２個のアップリンク・リソース・ブロックを備える第２のアップリンク・キャリアとを備え、１乃至ＮＲＢ１と符番されたアップリンク・リソース・ブロックに対応する、前記第１のダウンリンク・キャリアにおいて確保されたリソースが、前記第１のアップリンク・キャリアに対するフィードバックを送信するために割り当てられ、ＮＲＢ１＋１乃至ＮＲＢ１＋ＮＲＢ２と符番されたアップリンク・リソース・ブロックに対応する、前記第１のダウンリンク・キャリアにおいて確保されたリソースが、前記第２のアップリンク・キャリアに対するフィードバックを送信するために割り当てられ、前記確保されたリソースは、アップリンク・キャリアで送信されたデータ送信の復号の成功または失敗を示すインジケーションを提供する物理チャネルに対応するリソース要素を備え、１乃至ＮＲＢ２と符番されたアップリンク・リソース・ブロックに対応する、第２のダウンリンク・キャリアにおけるリソースが、前記第２のアップリンク・キャリアに対するフィードバックを送信するために割り当てられ、前記第１のダウンリンク・キャリアにおいて１乃至ＮＲＢ１と符番されたリソース・ブロックが、シングル・キャリア・アクセス端末およびマルチ・キャリア・アクセス端末のために確保される、無線端末。
【請求項３０】
ロング・ターム・イボリューション（ＬＴＥ）アクセス端末およびＬＴＥアドバンスト・アクセス端末のためのＰＨＩＣＨリソースが確保される、請求項２９に記載の無線端末。
【請求項３１】
前記シングル・キャリア・アクセス端末および前記マルチキャリア・アクセス端末のためのリソースが確保される、請求項２９に記載の無線端末。
【請求項３２】
前記アップリンク許可は、マルチキャリア・アップリンク許可である、請求項２９に記載の無線端末。
【請求項３３】
前記第１のダウンリンク・キャリアにおいて１＋ＮＲＢ１乃至ＮＲＢ１＋ＮＲＢ２と符番されたリソース・ブロックが、前記マルチキャリア・アクセス端末のために確保される、請求項２９に記載の無線端末。
【請求項３４】
前記第２のダウンリンク・キャリアにおいて１乃至ＮＲＢ２と符番されたリソース・ブロックが、前記シングル・キャリア・アクセス端末のために確保される、請求項２９に記載の無線端末。
【請求項３５】
前記少なくとも１つのアップリンク・キャリアのアップリンク・リソース・ブロックに対応する第１のダウンリンク・キャリアにおけるリソースが、前記少なくとも１つのアップリンク・キャリアのためのフィードバックを伝送するために割り当てられる、請求項２９に記載の無線端末。
【請求項３６】
無線通信のために無線端末によって実施される方法であって、
複数のダウンリンク・キャリアのうちの第１のダウンリンク・キャリアで、少なくとも１つのアップリンク・キャリアの使用の許可を示すに関するアップリンク許可を受信することと、
前記第１のダウンリンク・キャリアでフィードバックを受信することと
を備え、ここで、前記フィードバックは、前記少なくとも１つのアップリンク・キャリアで送信されたデータ送信の復号の成功または失敗を示すインジケーションを備え、
前記第１のダウンリンク・キャリアにおけるリソースは、複数のアップリンク・キャリアに対するフィードバックを送信するために確保され、前記複数のアップリンク・キャリアは、ＮＲＢ１個のアップリンク・リソース・ブロックを備える第１のアップリンク・キャリアと、ＮＲＢ２個のアップリンク・リソース・ブロックを備える第２のアップリンク・キャリアとを備え、１乃至ＮＲＢ１と符番されたアップリンク・リソース・ブロックに対応する、前記第１のダウンリンク・キャリアにおいて確保されたリソースが、前記第１のアップリンク・キャリアに対するフィードバックを送信するために割り当てられ、ＮＲＢ１＋１乃至ＮＲＢ１＋ＮＲＢ２と符番されたアップリンク・リソース・ブロックに対応する、前記第１のダウンリンク・キャリアにおいて確保されたリソースが、前記第２のアップリンク・キャリアに対するフィードバックを送信するために割り当てられ、前記確保されたリソースは、アップリンク・キャリアで送信されたデータ送信の復号の成功または失敗を示すインジケーションを提供する物理チャネルに対応するリソース要素を備え、１乃至ＮＲＢ２と符番されたアップリンク・リソース・ブロックに対応する、第２のダウンリンク・キャリアにおけるリソースが、前記第２のアップリンク・キャリアに対するフィードバックを送信するために割り当てられ、前記第１のダウンリンク・キャリアにおいて１乃至ＮＲＢ１と符番されたリソース・ブロックが、シングル・キャリア・アクセス端末およびマルチ・キャリア・アクセス端末のために確保される、方法。
【請求項３７】
前記シングル・キャリア・アクセス端末および前記マルチキャリア・アクセス端末のためのリソースが確保される、請求項３６に記載の方法。
【請求項３８】
前記第１のダウンリンク・キャリアで、前記複数のアップリンク・キャリアの複数のアップリンク許可を受信することをさらに備える、請求項３６に記載の方法。
【請求項３９】
前記アップリンク許可は、マルチキャリア・アップリンク許可である、請求項３６に記載の方法。
【請求項４０】
前記第１のダウンリンク・キャリアにおいて１＋ＮＲＢ１乃至ＮＲＢ１＋ＮＲＢ２と符番されたリソース・ブロックが、前記マルチキャリア・アクセス端末のために確保される、請求項３６に記載の方法。
【請求項４１】
前記第２のダウンリンク・キャリアにおいて１乃至ＮＲＢ２と符番されたリソース・ブロックが、前記シングル・キャリア・アクセス端末のために確保される、請求項３６に記載の方法。
【請求項４２】
前記少なくとも１つのアップリンク・キャリアのアップリンク・リソース・ブロックに対応する前記第１のダウンリンク・キャリアにおけるリソースが、前記少なくとも１つのアップリンク・キャリアのためのフィードバックを伝送するために割り当てられる、請求項３６に記載の方法。
【請求項４３】
装置であって、
複数のダウンリンク・キャリアのうちの第１のダウンリンク・キャリアで、少なくとも１つのアップリンク・キャリアの使用の許可を示すに関するアップリンク許可を受信する手段と、
前記第１のダウンリンク・キャリアでフィードバックを受信する手段と
を備え、ここで、前記フィードバックは、前記少なくとも１つのアップリンク・キャリアで送信されたデータ送信の復号の成功または失敗を示すインジケーションを備え、
前記第１のダウンリンク・キャリアにおけるリソースは、複数のアップリンク・キャリアに対するフィードバックを送信するために確保され、前記複数のアップリンク・キャリアは、ＮＲＢ１個のアップリンク・リソース・ブロックを備える第１のアップリンク・キャリアと、ＮＲＢ２個のアップリンク・リソース・ブロックを備える第２のアップリンク・キャリアとを備え、１乃至ＮＲＢ１と符番されたアップリンク・リソース・ブロックに対応する、前記第１のダウンリンク・キャリアにおいて確保されたリソースが、前記第１のアップリンク・キャリアに対するフィードバックを送信するために割り当てられ、ＮＲＢ１＋１乃至ＮＲＢ１＋ＮＲＢ２と符番されたアップリンク・リソース・ブロックに対応する、前記第１のダウンリンク・キャリアにおいて確保されたリソースが、前記第２のアップリンク・キャリアに対するフィードバックを送信するために割り当てられ、前記確保されたリソースは、アップリンク・キャリアで送信されたデータ送信の復号の成功または失敗を示すインジケーションを提供する物理チャネルに対応するリソース要素を備え、１乃至ＮＲＢ２と符番されたアップリンク・リソース・ブロックに対応する、第２のダウンリンク・キャリアにおけるリソースが、前記第２のアップリンク・キャリアに対するフィードバックを送信するために割り当てられ、前記第１のダウンリンク・キャリアにおいて１乃至ＮＲＢ１と符番されたリソース・ブロックが、シングル・キャリア・アクセス端末およびマルチ・キャリア・アクセス端末のために確保される、装置。
【請求項４４】
前記シングル・キャリア・アクセス端末および前記マルチキャリア・アクセス端末のためのリソースが確保される、請求項４３に記載の装置。
【請求項４５】
前記第１のダウンリンク・キャリアで、前記複数のアップリンク・キャリアの複数のアップリンク許可を受信する手段をさらに備える、請求項４３に記載の装置。
【請求項４６】
前記アップリンク許可は、マルチキャリア・アップリンク許可である、請求項４３に記載の装置。
【請求項４７】
前記第１のダウンリンク・キャリアにおいて１＋ＮＲＢ１乃至ＮＲＢ１＋ＮＲＢ２と符番されたリソース・ブロックが、前記マルチキャリア・アクセス端末のために確保される、請求項４３に記載の装置。
【請求項４８】
前記第２のダウンリンク・キャリアにおいて１乃至ＮＲＢ２と符番されたリソース・ブロックが、前記シングル・キャリア・アクセス端末のために確保される、請求項４３に記載の装置。
【請求項４９】
前記少なくとも１つのアップリンク・キャリアのアップリンク・リソース・ブロックに対応する前記第１ダウンリンク・キャリアにおけるリソースが、前記少なくとも１つのアップリンク・キャリアのためのフィードバックを伝送するために割り当てられる、請求項４３に記載の装置。
【請求項５０】
無線通信のために無線端末において実行されるコンピュータ・プログラムであって、
複数のダウンリンク・キャリアのうちの第１のダウンリンク・キャリアで、少なくとも１つのアップリンク・キャリアの使用の許可を示すに関するアップリンク許可を受信する手順と、
前記第１のダウンリンク・キャリアでフィードバックを受信する手順と
をコンピュータに実行させ、ここで、前記フィードバックは、前記少なくとも１つのアップリンク・キャリアで送信されたデータ送信の復号の成功または失敗を示すインジケーションを備え、
前記第１のダウンリンク・キャリアにおけるリソースは、複数のアップリンク・キャリアに対するフィードバックを送信するために確保され、前記複数のアップリンク・キャリアは、ＮＲＢ１個のアップリンク・リソース・ブロックを備える第１のアップリンク・キャリアと、ＮＲＢ２個のアップリンク・リソース・ブロックを備える第２のアップリンク・キャリアとを備え、１乃至ＮＲＢ１と符番されたアップリンク・リソース・ブロックに対応する、前記第１のダウンリンク・キャリアにおいて確保されたリソースが、前記第１のアップリンク・キャリアに対するフィードバックを送信するために割り当てられ、ＮＲＢ１＋１乃至ＮＲＢ１＋ＮＲＢ２と符番されたアップリンク・リソース・ブロックに対応する、前記第１のダウンリンク・キャリアにおいて確保されたリソースが、前記第２のアップリンク・キャリアに対するフィードバックを送信するために割り当てられ、前記確保されたリソースは、アップリンク・キャリアで送信されたデータ送信の復号の成功または失敗を示すインジケーションを提供する物理チャネルに対応するリソース要素を備え、１乃至ＮＲＢ２と符番されたアップリンク・リソース・ブロックに対応する、第２のダウンリンク・キャリアにおけるリソースが、前記第２のアップリンク・キャリアに対するフィードバックを送信するために割り当てられ、前記第１のダウンリンク・キャリアにおいて１乃至ＮＲＢ１と符番されたリソース・ブロックが、シングル・キャリア・アクセス端末およびマルチ・キャリア・アクセス端末のために確保される、コンピュータ・プログラム。
【請求項５１】
前記シングル・キャリア・アクセス端末および前記マルチキャリア・アクセス端末のためのリソースが確保される、請求項５０に記載のコンピュータ・プログラム。
【請求項５２】
前記コンピュータに、前記第１のダウンリンク・キャリアで、前記複数のアップリンク・キャリアの複数のアップリンク許可を受信する手順をさらに実行させる、請求項５０に記載のコンピュータ・プログラム。
【請求項５３】
前記アップリンク許可は、マルチキャリア・アップリンク許可である、請求項５０に記載のコンピュータ・プログラム。
【請求項５４】
前記第１のダウンリンク・キャリアにおいて１＋ＮＲＢ１乃至ＮＲＢ１＋ＮＲＢ２と符番されたリソース・ブロックが、前記マルチキャリア・アクセス端末のために確保される、請求項５０に記載のコンピュータ・プログラム。
【請求項５５】
前記第２のダウンリンク・キャリアにおいて１乃至ＮＲＢ２と符番されたリソース・ブロックが、前記シングル・キャリア・アクセス端末のために確保される、請求項５０に記載のコンピュータ・プログラム。
【請求項５６】
前記少なくとも１つのアップリンク・キャリアのアップリンク・リソース・ブロックに対応する第１のダウンリンク・キャリアにおけるリソースが、前記少なくとも１つのアップリンク・キャリアのためのフィードバックを伝送するために割り当てられる、請求項５０に記載のコンピュータ・プログラム。
【発明の詳細な説明】
【優先権主張】
【０００１】
本特許出願は、本明細書において参照によって明確に組み込まれ、本願の譲受人に譲渡された２００９年４月２３日出願の「無線通信システムにおけるマルチキャリア制御のための方法および装置」（METHOD AND APPARATUS FOR MULTICARRIER CONTROL IN A WIRELESS COMMUNICATION SYSTEM）と題された仮出願６１／１７２，１５６の優先権を主張する。
【技術分野】
【０００２】
本開示は、一般に、無線通信システムに関する。さらに詳しくは、本開示は、無線通信システムにおけるマルチキャリア制御のための方法および装置に関する。
【背景技術】
【０００３】
無線通信システムは、例えば音声、ビデオ、パケット・データ、メッセージング、ブロードキャスト等のようなさまざまな通信サービスを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、直交周波数分割多元接続（ＯＦＤＭＡ）システム、およびシングル・キャリアＦＤＭＡ（ＳＣ−ＦＤＭＡ）システムを含んでいる。
【０００４】
複数のアップリンク・キャリアおよびダウンリンク・キャリアが存在する通信システムでは、受信データのアクノレッジメントに関するフィードバックを指定するあるルールが規定される必要がある。ＬＴＥリリース８では、１つのアップリンクのみが、１つのダウンリンクとペアをなし、アップリンク送信のフィードバックが、物理フィードバック・チャネルにおける対応するダウンリンク・キャリアで送信される。このようなソリューションは、非対称のアップリンク構成およびダウンリンク構成を有するマルチキャリア・システム（例えば、ＬＴＥアドバンスト）に適用可能ではない。
【０００５】
したがって、当該技術分野では、非対称のマルチキャリア・システムにおいてマルチキャリアＨＡＲＱフィードバックを制御する方法および装置に対するニーズがある。
【発明の概要】
【０００６】
以下は、１または複数の態様の基本的な理解を与えるために、そのような態様の簡略化された概要を示す。この概要は、考えられるすべての態様の広範囲な概観ではなく、すべての態様の重要要素や判定的要素を識別することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００７】
本開示の態様によれば、無線通信装置であって、複数のキャリアのうちの１つにおける送信のために、少なくとも１つのキャリアに関する許可を生成し、複数のキャリアのうちの１つにおける送信のために、フィードバックを生成するように構成されたコントローラを含みうる。
【０００８】
本開示の別の態様によれば、無線通信のための方法は、複数のキャリアのうちの１つにおける送信のために、少なくとも１つのキャリアに関する許可を生成することと、複数のキャリアのうちの１つにおける送信のために、フィードバックを生成することとを含みうる。
【０００９】
本開示のさらなる態様によれば、装置は、複数のキャリアのうちの１つにおける送信のために、少なくとも１つのキャリアに関する許可を生成する手段と、複数のキャリアのうちの１つにおける送信のために、フィードバックを生成する手段とを含みうる。
【００１０】
本開示のさらなる態様によれば、このコンピュータ・プログラム製品は、複数のキャリアのうちの１つにおける送信のために、少なくとも１つのキャリアに関する許可を生成するためのコードと、複数のキャリアのうちの１つにおける送信のために、フィードバックを生成するためのコードとを含むコンピュータ読取可能媒体を含みうる。
【００１１】
本開示のさらなる態様によれば、無線通信装置は、複数のキャリアのうちの１つにおける送信のために、少なくとも１つのキャリアに関する許可を受信し、許可が受信された複数のキャリアのうちの何れか１つに基づいて、複数のキャリアのうち、フィードバックを受信する１つを判定するように構成されたコントローラを含みうる。
【００１２】
本開示のさらなる態様によれば、無線通信のための方法は、複数のキャリアのうちの１つにおける送信のために、少なくとも１つのキャリアに関する許可を受信することと、許可が受信された複数のキャリアのうちの何れか１つに基づいて、複数のキャリアのうち、フィードバックを受信する１つを判定することとを含みうる。
【００１３】
本開示のさらなる態様によれば、装置は、複数のキャリアのうちの１つにおける送信のために、少なくとも１つのキャリアに関する許可を受信する手段と、許可が受信された複数のキャリアのうちの何れか１つに基づいて、複数のキャリアのうち、フィードバックを受信する１つを判定する手段とを含みうる。
【００１４】
本開示のさらなる態様によれば、このコンピュータ・プログラム製品は、複数のキャリアのうちの１つにおける送信のために、少なくとも１つのキャリアに関する許可を受信するためのコードと、許可が受信された複数のキャリアのうちの何れか１つに基づいて、複数のキャリアのうち、フィードバックを受信する１つを判定するためのコードとを含むコンピュータ読取可能媒体を含みうる。
【００１５】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１６】
開示された態様は、以下において、同一符号が同一要素を示す添付図面と連携して説明され、開示された態様を、限定することなく例示するために提供される。
【図１】図１は、無線通信システムの態様を例示する。
【図２】図２は、基地局とアクセス端末との間のアップリンクおよびダウンリンクを含む通信システムを例示する。
【図３】図３は、通信システムのためのプロトコル・スタックのいくつかの態様を例示する。
【図４】図４は、リソース・ブロックおよびリソース要素を示すリソース・グリッドとラジオ・フレーム構成を例示する。
【図５】図５は、非対称マルチキャリア・システムの例を図示する。
【図６】図６は、アンカ・キャリアとペアをなすアップリンク／ダウンリンクの例を図示する。
【図７】図７は、非対称マルチキャリア通信システムにおけるフィードバックを制御するアクセス端末の例を図示する。
【図８】図８は、非対称マルチキャリア通信システムにおけるフィードバックを制御する基地局の例のブロック図である。
【図９】図９は、非対称マルチキャリア通信システムにおけるフィードバックの受信を制御する処理の例を図示するフローチャートである。
【図１０】図１０は、非対称マルチキャリア通信システムにおけるフィードバックの送信を制御する処理の例を図示するフローチャートである。
【図１１】図１１は、非対称マルチキャリア通信システムにおけるフィードバックの受信を制御するシステムの例を図示する。
【図１２】図１２は、非対称マルチキャリア通信システムにおけるフィードバックの送信を制御するシステムの例を図示する。
【発明を実施するための形態】
【００１７】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００１８】
本願で使用されるように、用語「構成要素」、「モジュール」、「システム」等は、限定される訳ではないが、ハードウェア、ファームウェア、ハードウェアとソフトウェアとの組み合わせ、ソフトウェア、あるいは実行中のソフトウェアのようなコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００１９】
さらに、本明細書では、さまざまな態様が、有線端末または無線端末でありうる端末と関連して説明される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００２０】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２１】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２２】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２３】
さらに、主題とする記載では、「典型的」という用語は、例、事例、または例示として役立つことを意味するために使用される。本明細書で「典型的」と記載された任意の態様または設計は、必ずしも、他の態様または設計に対して好適であるとも、有利であるとも解釈される必要はない。むしろ、典型的という用語を用いることは、概念を具体的に表すことが意図されている。
【００２４】
図１は、３ＧＰＰ  ＬＴＥ  Ｅ−ＵＴＲＡシステムでありうる無線通信システム１００を示す。システム１００は、基地局１１０と、３ＧＰＰによって記述されるその他のネットワーク・エンティティとを含みうる。基地局は、アクセス端末と通信する固定局でありうる。おのおのの基地局１１０は、特定の地理的エリアのために通信有効範囲を提供する。ネットワーク容量を高めるために、基地局の有効通信範囲全体が、多数（例えば３つ）の、より小さなエリアへ分割されうる。小さなエリアおのおのは、それぞれの基地局サブシステムによってサービス提供されうる。３ＧＰＰでは、用語「セル」は、この有効通信範囲エリアにサービス提供している基地局および／または基地局サブシステムのうちの最小の有効通信範囲エリアを称しうる。
【００２５】
システム・コントローラ１３０は、モビリティ管理エンティティ（ＭＭＥ）およびサービス提供ゲートウェイ（Ｓ−ＧＷ）を含み、基地局のセットに接続し、これら基地局のために調整および制御を提供しうる。Ｓ−ＧＷは、例えば、パケット・データ、ボイス・オーバ・インターネット・プロトコル、ビデオ、メッセージング等のようなデータ・サービスをサポートしうる。ＭＭＥは、ハンドオーバ時において、ソース基地局とターゲット基地局との間のパス切換を担当しうる。システム・コントローラ１３０は、コアおよび／またはデータ・ネットワーク（例えば、インターネット）に接続し、コア／データ・ネットワークに接続されたその他のエンティティ（例えば、遠隔サービスおよび端末）と通信しうる。
【００２６】
アクセス端末１２０は、ネットワーク全体にわたって分布し、おのおののアクセス端末は、据置式または移動式でありうる。アクセス端末は、ダウンリンクおよびアップリンクによって基地局と通信しうる。ダウンリンク（すなわち、順方向リンク）は、基地局からアクセス端末への通信リンクを称し、アップリンク（すなわち、逆方向リンク）は、アクセス端末から基地局への通信リンクを称する。図１では、両矢印を持つ実線は、基地局とアクセス端末との間のアクティブな通信を示す。
【００２７】
図２は、基地局２０４とアクセス端末２０８との間のアップリンク２１２およびダウンリンク２１４を含むシステム２００を例示する。基地局２０４およびアクセス端末２０８は、図１に示す基地局１１０およびアクセス端末１２０に相当しうる。アップリンク２１２は、アクセス端末２０８から基地局２０４への送信を称し、ダウンリンク２１４は、基地局２０４からアクセス端末２０８への送信を称する。
【００２８】
図３は、通信システムのためのプロトコル・スタックのいくつかの態様を例示する。基地局２０４とアクセス端末２０８との両方は、図３に例示されたプロトコル・スタック３００を含みうる。プロトコル・スタックは、物理レイヤ（ＰＨＹ）３１６、媒体アクセス制御（ＭＡＣ）３１８、および高次レイヤ３２０を含みうる。
【００２９】
ＭＡＣレイヤ３１８は、１または複数の論理チャネル３２２を介して高次レイヤ３２０からデータを受信しうる。その後、ＭＡＣレイヤ３１８は、例えば、論理チャネル３２２と伝送チャネル３２４との間のマッピング、論理チャネル３２２のさまざまなＰＤＵの、伝送チャネル３２４のための伝送ブロックへの多重化、伝送ブロックからのデマルチプレクシング、ハイブリッド自動反復要求（ＨＡＲＱ）による誤り訂正、トラフィック・ボリューム測定レポート、アクセス端末の論理チャネル３２２間の優先取り扱い、動的スケジューリングによるアクセス端末間の優先取り扱い、伝送フォーマット選択、パディング、等のようなさまざまな機能を実行しうる。
【００３０】
物理レイヤ３１６は、複数の物理制御チャネル３２６を提供するように構成されうる。アクセス端末２０４は、制御チャネルのこのセットをモニタするように構成されうる。物理レイヤ３１６はさらに、物理チャネル３２６を介したデータ伝送サービスを提供しうる。ダウンリンク信号送信のための物理チャネルのうちのいくつかは、物理ダウンリンク制御チャネル（ＰＤＣＣＨ）、物理ハイブリッドＡＲＱインジケータ・チャネル（ＰＨＩＣＨ）、および、物理ダウンリンク共有チャネル（ＰＤＳＣＨ）でありうる。アップリンク信号送信のための物理チャネルのうちのいくつかは、物理アップリンク制御チャネル（ＰＵＣＣＨ）、物理アップリンク共有チャネル（ＰＵＳＣＨ）、物理ランダム・アクセス・チャネル（ＰＲＡＣＨ）でありうる。
【００３１】
システム１００は、ダウンリンクの場合、直交ＯＦＤＭＡを、アップリンクの場合、ＳＣ−ＦＤＭＡを使用しうる。ＯＦＤＭの基礎となる根本概念は、利用可能な周波数スペクトルを、いくつかのサブキャリアへ分割することである。高いスペクトル効率を得るために、サブキャリアの周波数応答は、オーバラップおよび直交している。システム１００では、ＯＦＤＭＡダウンリンク送信およびアップリンク送信は、１０ミリ秒の持続時間を持つラジオ・フレームへ体系化されうる。このフレーム構造は、周波数分割デュプレクス（ＦＤＤ）（個別の出発信号および到着信号への周波数分割多重化の適用）と、時分割デュプレクス（ＴＤＤ）（個別の出発信号および到着信号への時分割多重化の適用）との両方に適用可能でありうる。図４に示されるように、おのおののラジオ・フレームは１０ミリ秒の長さであり、０．５ミリ秒からなる０乃至１９と符番された２０のスロットからなる。サブフレームは、連続した２つのスロットとして定義される。ここで、サブフレームｉは、スロット２ｉとスロット２ｉ＋１とからなる。サブフレームは、送信期間（ＴＴＩ）と称されうる。ＦＤＤの場合、１０ミリ秒の期間おのおのにおいて、ダウンリンク送信について１０のサブフレームが利用可能であり、アップリンク送信について１０のサブフレームが利用可能である。アップリンク送信とダウンリンク送信とは、周波数領域で分離される。ＴＤＤの場合、サブフレームは、ダウンリンク送信またはアップリンク送信の何れかのために割り当てられる。サブフレーム０およびサブフレーム５は、常に、ダウンリンク送信のために割り当てられうる。
【００３２】
おのおののスロット内の信号は、ダウンリンクの場合はＯＦＤＭシンボルでありアップリンクの場合はＳＣ−ＦＤＭＡシンボルであるＮＳＹＭＢ個のシンボル、およびＮＳＣＲＢ個のサブキャリアのリソース・グリッドによって記述される。基地局１１０からのマルチ・アンテナ送信の場合には、アンテナ・ポート毎に規定された１つのリソース・グリッドが存在しうる。アンテナ・ポートは、セル内にユニークなダウンリンク基準信号（ＤＬＲＳ）によって規定されうる。アンテナ・ポートｐのためのリソース・グリッド内の要素はそれぞれリソース要素と称され、インデクス・ペア（ｋ，ｌ）によってユニークに規定される。ここで、ｋおよびｌは、周波数領域および時間領域それぞれにおけるインデクスである。１、２、４、またはそれ以上のアンテナ・ポートがサポートされうる。物理リソース・ブロックは、時間領域においてＮＳＹＭＢ個の連続したシンボルとして定義され、周波数領域においてＮＳＣＲＢ（例えば、１２）個の連続したサブキャリアとして定義されうる。したがって、リソース・ブロックは、ＮＳＹＭＢ×ＮＳＣＲＢ個のリソース要素からなる。
【００３３】
システム１００を介して送信されたデータは、非リアル・タイム（ＮＲＴ）データまたはリアル・タイム（ＲＴ）データの何れかとして分類されうる。ＮＲＴデータの例は、アクセス端末によってウェブ・ブラウジング中に送信されたデータ、またはアクセス端末へのテキスト・メッセージを含む一方、ＲＴデータの例は、アクセス端末間の音声通信である。
【００３４】
データ・パケット（ＮＲＴとＲＴとの両方）は、ＰＤＳＣＨで、基地局からアクセス端末へ送信される。ＰＤＳＣＨでは、さまざまな変調スキームおよび符号化スキーム（ＭＣＳ）がサポートされる。変調スキームは、直交フェーズ・シフト・キーイング（ＱＰＳＫ）、および、例えば１６−ＱＡＭおよび６４−ＱＡＭのような直交振幅変調（ＱＡＭ）を含む。誤り訂正のために使用されるさまざまな符号化レートが使用されうる。変調スキームと符号化レートとを組み合わせることによって、例えば３０のような多くの可能なＭＣＳが得られる。
【００３５】
基地局からのアップリンクおよびダウンリンクによる制御シグナリングは、ＰＤＣＣＨおよびＰＨＩＣＨで送信されうる。ＰＤＣＣＨダウンリンク制御シグナリングは、リソース・スケジューリング情報を含んでいる。ＰＨＩＣＨは、ＨＡＲＱフィードバックを介して基地局においてアップリンク・パケットが正しく受信されたかを、ダウンリンクでアクセス端末へ示すために使用されうる。ＨＡＲＱは、自動反復要求（ＡＲＱ）技術と順方向誤り訂正（ＦＥＣ）技術とを組み合わせた技術を称する。
【００３６】
ＡＲＱは、送信機が、予め定めたスキームにしたがってデータ・パケットのシーケンス番号を割り当て、これらデータ・パケットを送信し、受信機が、受信したパケットのうち、これらシーケンス番号を用いて、喪失されたパケットを再送信するように送信機に要求することによって、信頼性の高いデータ送信を達成する技術を称する。ＦＥＣは、データ送信／受信処理において生じる雑音またはフェージング環境において生じる誤りに対処するために、畳込み符号化またはターボ符号化のように、送信前に送信データに冗長ビットを追加し、これによって、オリジナルの送信データを復号する技術を称する。
【００３７】
ＨＡＲＱを用いたシステムでは、受信機は、受信したデータを、逆ＦＥＣ処理によって復号し、復号されたデータが、巡回冗長検査（ＣＲＣ）チェックによって、誤りがあるかを判定する。誤りがない場合、受信機は、送信機にＡＣＫをフィードバックし、これによって、送信機は、次のデータ・パケットを送信できるようになる。しかしながら、誤りがある場合、受信機は送信機にＮＡＣＫをフィードバックし、これによって、以前に送信されたパケットの再送信を要求する。この処理によって、受信機は、以前に送信されたパケットを、再送信されたパケットと組み合わせ、これによって、エネルギ利得と、向上された受信パフォーマンスとを得る。
【００３８】
リソースをスケジューリングする場合、基地局は、ダウンリンクおよび／またはアップリンクにおける多くの物理リソースを特定のアクセス端末に許可するスケジュール許可をＰＤＣＣＨで送信する。アップリンク・スケジューリング許可のために、多くの物理リソースが、多くのアップリンク・リソース・ブロックから構成される。アップリンク・リソース・ブロックのセットが許可されると、基地局は、ＡＣＫまたはＮＡＣＫを適切にアクセス端末へ送信し、これによって、アクセス端末は、アップリンク・データを再送信しなければならないか否かを認識しうる。
【００３９】
図５は、基地局５０２とアクセス端末５０４との間のアップリンク・キャリアＵＬ  Ｃ１  ５０６、ＵＬ  Ｃ２  ５０８と、ダウンリンク・キャリアＤＬ  Ｃ２  ５１０、ＤＬ  Ｃ２  ５１２、ＤＬ  Ｃ３  ５１４とを含むマルチキャリア・システム５００を例示する。基地局５０２およびアクセス端末５０４は、図１に示す基地局１１０およびアクセス端末１２０に対応しうる。システム５００は、アップリンク・キャリア５０６、５０８の数が、ダウンリンク・キャリア５１０、５１２、５１４の数と等しくないという点で非対称である。２つのアップリンク・キャリアおよび３つのダウンリンク・キャリアしか示されていないが、システム５００は、任意の数のアップリンク・キャリアおよびダウンリンク・キャリアを含むように構成されうる。したがって、システム５００は、ダウンリンク・キャリアの数よりも多くのアップリンク・キャリアの数を含むことも、その逆もありえる。
【００４０】
システム５００はさらに、アップリンク・キャリアとダウンリンク・キャリアとのキャリア・ペアリングをサポートするように構成される。このペアリングは、１または複数のダウンリンク・キャリアと、１または複数のアップリンク・キャリアとの間でなされうる。１つの構成では、少なくとも１つのダウンリンク・キャリアが、複数のアップリンク・キャリアとペアリングされるか、または、複数のダウンリンク・キャリアが、少なくとも１つのアップリンク・キャリアとペアリングされ、これによって、ダウンリンク・キャリアとアップリンク・キャリアとのペアリング・グループは、少なくとも３つのキャリアを含むようになる。
【００４１】
図６は、システム５００のためのダウンリンク／アップリンク・キャリア・ペアリングの例を図示するブロック図である。図６に示すように、ＵＬ  Ｃ１  ５０６は、ＤＬ  Ｃ１  ５１０とペアリングされ（実線矢印６０２で示される）、ＵＬ  Ｃ２  ５０８は、ＤＬ  Ｃ２  ５１２およびＤＬ  Ｃ３  ５１４とペアリングされうる（実線矢印６０４、６０６で示される）。ＵＬ  Ｃ１  ５０６は、ＤＬ  Ｃ１  ５１０のためのアップリンク制御情報を伝送し、ＵＬ  Ｃ２  ５０８は、ＤＬ  Ｃ２  ５１２およびＤＬ  Ｃ３  ５１４のためのアップリンク制御情報を伝送しうる。アップリンク制御情報は、ダウンリンクＨＡＲＱフィードバックおよびチャネル品質インジケータ（ＣＱＩ）フィードバックを含みうる。同様に、ＤＬ  Ｃ１は、ＵＬ  Ｃ１  ５０６のためのダウンリンク制御情報を伝送し、ＤＬ  Ｃ２  ５１２およびＤＬ  Ｃ３  ５１４は、ＵＬ  Ｃ２  ５０８のためのダウンリンク制御情報を伝送しうる。ダウンリンク制御情報は、アップリンクＨＡＲＱフィードバックおよびアップリンク許可を含みうる。
【００４２】
キャリア・ペアリングは、基地局１１０によって判定されるように、準静的または動的でありうる。準静的なペアリングの場合、基地局１１０は、システム情報をシステム情報ブロック（ＳＩＢ）でブロードキャストすることによって、全てのアクセス端末１２０にペアリングを通知しうる。あるいは、基地局１１０は、ＲＲＣ接続セットアップ・メッセージにおけるラジオ・リソース制御（ＲＲＣ）シグナリングによる専用シグナリングを用いて、おのおののアクセス端末１２０に、ペアリングを通知しうる。動的なペアリングの場合、基地局１１０は、許可メッセージに含まれるＭＡＣシグナリングによって、アクセス端末１２０に、ペアリングを通知しうる。
【００４３】
また、制御情報が送信されるキャリアは、指定されたアンカ・キャリアが存在するかにも依存しうる。システムにアンカ・キャリアが存在する場合、これらキャリアがペアリング外である場合でさえも、対応するキャリアの１または複数のために、制御情報がアンカ・キャリアで送信されうる。例えば、ＤＬ  Ｃ１  ５１０が、ダウンリンク・キャリア５１０、５１２、５１４のためのアンカ・キャリアとして指定され、ＵＬ  Ｃ１  ５０６が、アップリンク・キャリア５０６、５０８のためのアンカ・キャリアとして指定されている場合、ＵＬ  Ｃ１  ５０６が、ダウンリンク・キャリア５１０、５１２、５１４のための制御情報を伝送し、ＤＬ  Ｃ１  ５１０が、アップリンク・キャリア５０６、５０８のための制御情報を伝送しうる。
【００４４】
アップリンク・キャリアとダウンリンク・キャリアのおのおのについて、１または複数のアンカ・キャリアが定義されうる。基地局１１０は、ＳＩＢで、あるいは、例えばＲＲＣシグナリングのような専用シグナリングによって、アクセス端末１２０に対して、アンカ・キャリアを通知しうる。基地局１１０は、ＳＩＢで、アクセス端末１２０に対して、アップリンク／ダウンリンク・ペアリングおよび任意のアンカ・キャリアを通知する。ＳＩＢは、キャリア位置（すなわち、キャリア中心周波数）、キャリア帯域幅、キャリア指定（アップリンク／ダウンリンク）、キャリア・ペアリング、アンカ・キャリア情報のみならず、ＨＡＲＱフィードバックを期待する特定のキャリアおよびリソースを含みうる。１つの構成では、制御情報のうちのいくつかは、アンカ・キャリアによって送信され、他の制御情報は、ペアリングされたキャリアによって送信されうる。例えば、基地局１１０は、ブロードキャストまたはＲＲＣシグナリングによって、フラグを用いて、アップリンクＨＡＲＱフィードバックが、ペアリングされたダウンリンク・キャリアで送信されるべきか、または、指定されたダウンリンク・アンカ・キャリアで送信されるべきかを示しうる。
【００４５】
図５を参照して説明するように、対称または非対称な構成の複数のアップリンク・キャリアおよびダウンリンク・キャリアを持つことが可能でありうる。したがって、アップリンク／ダウンリンク・キャリア非対称およびペアリングに対して透過的なフィードバック・アプローチを採用することが好適でありうる。非対称は、必ずしもキャリア構成に拠るものではなく、アクセス端末の構成の結果でもありうる（例えば、特定の干渉条件に拠る）。
【００４６】
態様によれば、ダウンリンクＰＨＩＣＨにおけるアップリンクＨＡＲＱフィードバックが、ダウンリンク・キャリアで送信されうる。ここでは、アップリンク／ダウンリンク・ペアリングに関わらず、アップリンク許可が送信される。このようなスキームは、アップリンク／ダウンリンク・キャリア非対称に対して透過的である。異なるアクセス端末は、異なるアンカ・キャリアを有しうる。したがって、１つのキャリアの過負荷は期待されない。アップリンク許可と同じアンカ・ダウンリンク・キャリアで送信されるＰＨＩＣＨを有することは有益である。なぜなら、アンカ・キャリアは、良好な制御チャネル信頼性を提供するヘテロジニアスなネットワークにおいて干渉保護されたキャリアだからである。
【００４７】
例えば、図６に示すように、ＵＬ  Ｃ１  ５０６およびＵＬ  Ｃ２  ５０８のためのマルチキャリア・アップリンク許可が、破線矢印６０８、６１０に示すように、アンカ・キャリアＤＬ  Ｃ１  ５１０で、基地局５０２からアクセス端末５０４へ送信されうる。マルチキャリア・アップリンク許可に対する代替例として、基地局５０２は、アップリンク・キャリアＵＬ  Ｃ１  ５０６およびＵＬ  Ｃ２  ５０８のおのおのについて異なるラジオ・ネットワーク・テンポラリ識別子（ＲＮＴＩ）を用いて、アンカ・キャリアＤＬ  Ｃ１  ５１０で、個別のアップリンク許可を送信しうるか、または、アップリンク・キャリアＵＬ  Ｃ１  ５０６およびＵＬ  Ｃ２  ５０８のおのおのを識別するために明示的なビット・フィールドを用いて、アンカ・キャリアＤＬ  Ｃ１  ５１０で、個別のアップリンク許可を送信しうる。その後、アンカ・キャリアＤＬ  Ｃ１  ５１０は、ＵＬ  Ｃ１  ５０６およびＵＬ  Ｃ２  ５０８のためのＨＡＲＱフィードバックを送信するために限定的に使用されうる。なぜなら、これは、アップリンク許可が送信されたダウンリンク・キャリアであるからである。すべてのアップリンク許可の送信のためにアンカＤＬ  Ｃ１  ５１０を利用する場合、基地局５０２は、すべてのアップリンクＨＡＲＱ送信に応じるために、アンカＤＬ  Ｃ１  ５１０の制御領域内で要求されたすべてのＰＨＩＣＨリソースを確保するように構成されうる。
【００４８】
許可送信に基づくＰＨＩＣＨマッピングによって、複数のアップリンク・キャリアが、１つのダウンリンク・キャリアにマップされるようになる。このケースは、キャリア間動作が可能とされた場合（複数のシングル・キャリア許可によって割り当てられた複数のアップリンク・キャリアのリソースが、１つのダウンリンク・キャリアで送信された場合）であるか、または、アップリンク・キャリアの数が、ダウンリンク・キャリアの数よりも多い、非対称なアップリンク／ダウンリンク・キャリア構成である場合、の何れかで生じる。
【００４９】
ＬＴＥ（例えば、３ＧＰＰリリース８）アクセス端末との下位互換性を維持するために、ＰＨＩＣＨリソース判定の目的のためのアップリンク・リソース・インデクスは、ＬＴＥ−Ａアクセス端末にサービス提供している間、対応するダウンリンク・キャリアとペアリングされたアップリンク・キャリアから開始しうる。例えば、基地局５０２は、ＬＴＥアクセス端末に対して、対応するダウンリンク・キャリアとペアリングされたアップリンク・キャリアのみを割り当てるように構成されうる。同じダウンリンク・キャリアとペアリングされた複数のアップリンク・キャリアが存在する場合、基地局５０２は、追加のアップリンク・キャリアを、ＬＴＥ−Ａアクセス端末へ割り当てるように構成されうる。
【００５０】
インデクスは、ＬＴＥ−Ａアクセス端末に適用可能なその他のキャリアに対して周期的に継続しうる。インデクスは、特定のダウンリンク・キャリアを介して送信された許可によって割り当てられうるすべてのアップリンク・キャリアを考慮して、システム・ワイドに実行されうる。インデクスは、アクセス端末に特有の設定に基づかないことがある。ＬＴＥ−Ａアクセス端末は、キャリアのサブセットのみについて設定されうるが、アップリンク・リソース・ブロックは、システム構成に基づいて判定されうる。ＬＴＥ−Ａアクセス端末は、割り当てられたアップリンク・キャリアに対応するＰＨＩＣＨリソースのサブセットを使用しうる。
【００５１】
例えば、基地局５０２は、ＬＴＥアクセス端末とＬＴＥ−Ａアクセス端末との両方のために、アンカＤＬ  Ｃ１  ５１０におけるＰＨＩＣＨリソースを確保し、ＬＴＥアクセス端末のみのために、ＤＬ  Ｃ２  ５１２におけるＰＨＩＣＨリソースを確保するように構成されうる。特に、ＵＬ  Ｃ１  ５０６におけるリソース・ブロックの数がＮＲＢ１であり、ＵＬ  Ｃ２  ５０８におけるリソース・ブロックの数がＮＲＢ２である場合、１乃至ＮＲＢ１と符番されたリソース・ブロックに対応するアンカＤＬ  Ｃ１  ５１０におけるＰＨＩＣＨリソースは、ＵＬ  Ｃ１  ５０６のためのＨＡＲＱフィードバックを伝送するために割り当てられ、ＮＲＢ１＋１乃至ＮＲＢ１＋ＮＲＢ２と符番されたリソース・ブロックに対応するＰＨＩＣＨリソースは、ＵＬ  Ｃ２  ５０８のためのＨＡＲＱフィードバックを伝送するために割り当てられうる。１乃至ＮＲＢ２と符番されたリソース・ブロックに対応するＤＬ  Ｃ２  ５１２におけるＰＨＩＣＨリソースは、ＵＬ  Ｃ２  ５０８のためのＨＡＲＱフィードバックを伝送するために割り当てられ、ＬＴＥアクセス端末のために確保されうる。なぜなら、ＬＴＥ−Ａアクセス端末のＰＨＩＣＨリソースはすでにアンカＤＬ  Ｃ１  ５１０において確保されているからである。ＮＲＢ２＋１乃至ＮＲＢ１＋ＮＲＢ２＋ＮＲＢＸと符番されたリソース・ブロックに対応するアンカＤＬ  Ｃ１  ５１０における他のＰＨＩＣＨリソースは、ＮＲＢＸ個のリソース・ブロックを有する任意の追加アップリンク・キャリアＸのためのＨＡＲＱフィードバックを伝送するために割り当てられる等である。このようにしてリソースを割り当てることにより、アップリンク・キャリア５０６、５０８のためのＰＨＩＣＨリソースのオーバラップを回避し、アンカＤＬ  Ｃ１  ５１０が、ＬＴＥアクセス端末とＬＴＥ−Ａアクセス端末との両方のためのすべてのＨＡＲＱ送信に応じることを確実にする。より多くのＰＨＩＣＨリソースが必要とされる場合、ＰＤＣＣＨ制御チャネル要素（ＣＣＥ）またはデータ・リソース・ブロックが使用されうる。
【００５２】
図７は、非対称のマルチキャリア通信システムにおけるフィードバックを制御するアクセス端末の例示である。アクセス端末７００は、図１に示されるアクセス端末１２０のうちの１つに対応しうる。図７に示すように、アクセス端末７００は、例えば（図示しない）１または複数の受信アンテナからの複数の信号を受信し、これら受信した信号に対して一般的な動作（例えば、フィルタ、増幅、ダウンコンバート等）を実行し、これら調整された信号をデジタル化して、サンプルを取得する。本明細書に記載されるように、受信機７０２は、チャネル推定のために、各信号から受信したシンボルの復調と、これらシンボルのプロセッサ７０６への提供とを行う複数の復調器７０４を備えうる。プロセッサ７０６は、受信機７０２によって受信された情報を分析すること、および／または、送信機７１６による送信のための情報を生成することに特化されたプロセッサ、アクセス端末７００の１または複数の構成要素を制御するプロセッサ、および／または、受信機７０２によって受信された情報を分析することと、送信機７１６による送信のための情報を生成することと、アクセス端末７００のうちの１または複数の構成要素を制御することとのすべて行うプロセッサでありうる。
【００５３】
アクセス端末７００はさらに、プロセッサ７０６に動作可能に接続されたメモリ７０８を備えうる。このメモリ７０８は、送信されるデータ（例えば、高優先度データ）、受信されたデータ、利用可能なチャネルに関連する情報、分析された信号および／または干渉の強度に関連付けられたデータ、割り当てられたチャネル、電力、レート等に関連する情報、および、チャネルの推定およびチャネルを介した通信のためのその他任意の適切な情報を格納しうる。メモリ７０８はさらに、（例えば、パフォーマンス・ベース、キャパシティ・ベース等での）チャネルの推定および／または利用に関連付けられたアルゴリズムおよび／またはプロトコルを格納しうる。
【００５４】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）（登録商標）のような多くの形態で利用可能である。
【００５５】
主題となるシステムおよび方法のメモリ７０８は、限定される訳ではないが、これらおよびその他任意の適切なタイプのメモリを備えることが意図される。
【００５６】
受信機７０２はさらに、図１を参照して説明したように、アップリンク許可がどこで受信されたかに基づいて、フィードバックを受信するダウンリンク・キャリアを決定することによって、ＨＡＲＱフィードバックを制御し、ＨＡＲＱフィードバックのためにＰＨＩＣＨリソースを割り当て、許可データおよびＨＡＲＱフィードバックのメモリ７０８内への獲得および格納を制御し、プロセッサ７０６を介して送信機７１４とインタフェースすることによって基地局との通信を指示する、コントローラ７１０と動作可能に接続されている。アクセス端末７００はさらに、信号を変調し、送信機７１４によって、例えば基地局、ウェブ／インターネット・アクセス・ポイント名（ＡＰＮ）、および他のアクセス端末等へ送信する変調機７１２を備える。プロセッサ７０６と別に示されているが、コントローラ７１０、復調器７０４、および／または、変調器７１２は、プロセッサ７０６または複数のプロセッサ（図示せず）のうちの一部でありうることが認識されるべきである。さらに、コントローラ７１０の機能は、オペレーション・システム（ＯＳ）レベルにおいて、インターネット・ブラウザ・アプリケーションにおいて、または、特定用途向け集積回路（ＡＳＩＣ）において、アプリケーション・レイヤ、データ・スタック、ＨＴＴＰスタックに統合されうる。
【００５７】
図８は、非対称なマルチキャリア通信システムにおけるフィードバックを制御するシステム８００の例示である。システム８００は、複数の受信アンテナ８０６を介して１または複数のアクセス端末８０４から信号（単数または複数）を受信する受信機８１０と、送信アンテナ８０８を介して１または複数のアクセス端末８０４へ信号を送信する送信機８２４と、を備えた基地局８０２（例えば、アクセス・ポイント、フェムト・セル等）を備える。受信機８１０は、受信アンテナ８０６から情報を受信する。さらに、受信した情報を復調する復調器８１２と動作可能に関連付けられている。復調されたシンボルは、図１に関して上述した基地局８０８のためのいくつかまたはすべての機能を実行しうるプロセッサ８１４によって分析される。プロセッサ８１４は、信号（例えば、パイロット）強度および／または干渉強度を推定することに関連する情報、モバイル・デバイス（単数または複数）８０４（または、（図示しない）他の基地局）との間で送受信されるデータ、および／または、本明細書に記載されたさまざまな動作および機能を実行することに関連するその他任意の適切な情報、を格納するメモリ８１６に接続されている。プロセッサ８１４はさらに、コントローラ８１８に接続されている。このコントローラ８１８は、許可およびフィードバックを生成すること、および、アップリンク許可がどこで送信されたかに基づいて、アクセス端末８０４へフィードバックを送信するダウンリンク・キャリアを決定することによって、ＨＡＲＱフィードバックを制御し、ＨＡＲＱフィードバックのためのＰＨＩＣＨリソースを割り当てうる。プロセッサ８１４と別に示されているが、コントローラ８１８、復調器８１２、および／または、変調器８２０は、プロセッサ８１４または複数のプロセッサ（図示せず）のうちの一部でありうることが認識されるべきである。
【００５８】
図９は、非対称マルチキャリア通信システムにおけるフィードバックの受信を制御する処理の例を図示するフローチャートである。この処理は、システム１００のアクセス端末１２０内で実施されうる。図９に示すように、ブロック９０２では、複数のキャリアのうちの１つで、少なくとも１つのキャリアに関する許可が受信され、処理はブロック９０４に進む。例えば、アクセス端末１２０は、ダウンリンク・キャリアのうちの１つで、基地局１１０からマルチキャリア・アップリンク許可を受信しうる。
【００５９】
ブロック９０４では、複数のキャリアのうちのどの１つで許可が受信されたかに基づいて、複数のキャリアのうちのどの１つがフィードバックを受信するかに関する決定がなされ、処理はブロック９０６に進みうる。例えば、アクセス端末１２０は、アップリンク・キャリアがどこで受信されたかに基づいて、どのダウンリンク・キャリアがフィードバックを受信するのかを決定しうる。
【００６０】
ブロック９０６では、許可が受信された複数のキャリアのうちの１つでフィードバックが受信され、処理が終了する。例えば、アクセス端末１２０は、アップリンク許可が以前に受信されたダウンリンク・キャリアでＨＡＲＱフィードバックを受信しうる。
【００６１】
図１０は、非対称のマルチキャリア通信システムにおけるフィードバックの送信を制御する処理の例を図示するフローチャートである。この処理は、システム１００の基地局１１０において実施されうる。図１０に示されるように、ブロック１００２では、複数のキャリアのうちの１つにおける送信のための許可が生成され、処理はブロック１００４へ進む。例えば、基地局１１０は、マルチキャリア・アップリンク許可を生成し、ダウンリンク・キャリアのうちの１つで、アクセス端末１２０へ送信しうる。
【００６２】
ブロック１００４では、複数のキャリアのうちの１つにおける送信のために、フィードバックが生成され、処理が終了しうる。例えば、基地局１１０は、ＨＡＲＱフィードバックを生成し、アップリック・キャリアがどこで送信されるかに基づいて、どのダウンリンク・キャリアがフィードバックを送信するかを決定し、それぞれのアクセス端末１２０へ、アップリンク許可が以前に送信されたダウンリンク・キャリアで、フィードバックを送信しうる。
【００６３】
図１１は、非対称のマルチキャリア通信システムでのフィードバックの受信を制御するシステム１１００の例示である。例えば、システム１１００は、アクセス端末等の中に少なくとも部分的に存在しうる。システム１１００は、プロセッサ、ソフトウェア、またはそれらの組み合わせ（例えば、ファームウェア）によって実現される機能を表す機能ブロックでありうる機能ブロックを含むものとして示されることが認識されるべきである。システム１１００は、連携して動作しうる手段からなる論理グループ１１０２を含む。例えば、論理グループ１１０２は、複数のキャリアのうちの１つで、少なくとも１つのキャリアに関する許可を受信する手段１１０４と、許可が受信された複数のキャリアのうちの１つに基づいて、複数のキャリアのうち、フィードバックを受信する１つを決定する手段１１０６とを含みうる。さらに、システム１１００は、手段１１０４乃至手段１１０６に関連付けられた機能を実行するための命令群を保持するメモリ１１０８を含みうる。メモリ１１０８の外側にあると示されているが、手段１１０４乃至手段１１０６のうちの１または複数が、メモリ１１０８の内部に存在しうることが理解されるべきである。
【００６４】
図１２は、非対称のマルチキャリア通信システムにおけるフィードバックの送信を制御するシステム１２００の例の図示である。例えば、システム１２００は、基地局等内に少なくとも部分的に存在しうる。システム１２００は、プロセッサ、ソフトウェア、またはそれらの組み合わせ（例えば、ファームウェア）によって実現される機能を表す機能ブロックでありうる機能ブロックを含むものとして示されることが認識されるべきである。システム１２００は、連携して動作しうる手段からなる論理グループ１２０２を含む。例えば、論理グループ１２０２は、複数のキャリアのうちの１つにおける送信のために、少なくとも１つのキャリアに関する許可を生成する手段１２０４と、複数のキャリアのうちの１つにおける送信のためのフィードバックを生成する手段１２０６とを含みうる。さらに、システム１２００は、手段１２０４乃至手段１２０６に関連付けられた機能を実行するための命令群を保持するメモリ１２０８を含みうる。メモリ１２０８の外側にあるとして示されているが、手段１２０４乃至手段１２０６のうちの１または複数は、メモリ１２０８の内部に存在しうることが理解されるべきである。
【００６５】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。
【００６６】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００６７】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００６８】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、本願出願の当初の特許請求の範囲に記載された発明を付記する。
［Ｃ１］
無線通信装置であって、
複数のキャリアのうちの１つにおける送信のために、少なくとも１つのキャリアに関する許可を生成し、
前記複数のキャリアのうちの１つにおける送信のために、フィードバックを生成する、ように構成されたコントローラを備える無線通信装置。
［Ｃ２］
前記少なくとも１つのキャリアおよび前記複数のキャリアは、異なるタイプのキャリアである、Ｃ１に記載の無線通信装置。
［Ｃ３］
前記少なくとも１つのキャリアはアップリンク・キャリアであり、前記複数のキャリアはダウンリンク・キャリアである、Ｃ２に記載の無線通信装置。
［Ｃ４］
前記許可はアップリンク許可である、Ｃ３に記載の無線通信装置。
［Ｃ５］
前記フィードバックは、復号の成功または失敗を示すインジケーションである、Ｃ４に記載の無線通信装置。
［Ｃ６］
前記コントローラはさらに、前記複数のダウンリンク・キャリアのうちの１つにおけるフィードバックのためのリソースを確保するように構成された、Ｃ５に記載の無線通信装置。
［Ｃ７］
前記リソースは、復号の成功または失敗を示すインジケーションを提供する物理チャネルに対応するリソース要素である、Ｃ６に記載の無線通信装置。
［Ｃ８］
前記コントローラはさらに、シングル・キャリア・アクセス端末およびマルチキャリア・アクセス端末のためのリソースを確保するように構成された、Ｃ７に記載の無線通信装置。
［Ｃ９］
前記コントローラはさらに、前記複数のダウンリンク・キャリアのうちの１つで、複数のアップリンク・キャリアの複数のアップリンク許可を送信するように構成された、Ｃ８に記載の無線通信装置。
［Ｃ１０］
前記アップリンク許可は、複数のアップリンク・キャリアのためのマルチキャリア・アップリンク許可である、Ｃ８に記載の無線通信装置。
［Ｃ１１］
前記アップリンク・キャリアにおけるリソース・ブロック数はＮＲＢ１であり、別のアップリンク・キャリアにおけるリソース・ブロック数はＮＲＢ２であり、前記複数のダウンリンク・キャリアのうちの１つにおいて１乃至ＮＲＢ１と符番されたアップリンク・リソース・ブロックに対応するリソースが、前記アップリンク・キャリアのためのフィードバックを伝送するために割り当てられ、前記複数のダウンリンク・キャリアのうちの１つにおいてＮＲＢ１＋１乃至ＮＲＢ１＋ＮＲＢ２と符番されたアップリンク・リソース・ブロックに対応するリソースが、前記別のアップリンク・キャリアのためのフィードバックを伝送するために割り当てられる、Ｃ７に記載の無線通信装置。
［Ｃ１２］
前記複数のダウンリンク・キャリアのうちの別の１つにおいて１乃至ＮＲＢ２と符番されたリソース・ブロックが、前記別のアップリンク・キャリアのためのフィードバックを伝送するために割り当てられる、Ｃ１１に記載の無線通信装置。
［Ｃ１３］
前記複数のダウンリンク・キャリアのうちの１つにおいて１乃至ＮＲＢ１と符番されたリソース・ブロックが、シングル・キャリア・アクセス端末およびマルチキャリア・アクセス端末のために確保される、Ｃ１２に記載の無線通信装置。
［Ｃ１４］
前記複数のダウンリンク・キャリアのうちの１つにおいて１＋ＮＲＢ１乃至ＮＲＢ１＋ＮＲＢ２と符番されたリソース・ブロックが、前記マルチキャリア・アクセス端末のために確保される、Ｃ１３に記載の無線通信装置。
［Ｃ１５］
前記複数のダウンリンク・キャリアのうちの別の１つにおいて１乃至ＮＲＢ２と符番されたリソース・ブロックが、前記シングル・キャリア・アクセス端末のために確保される、Ｃ１４に記載の無線通信装置。
［Ｃ１６］
前記少なくとも１つのアップリンク・キャリアのアップリンク・リソース・ブロックの数に対応する複数のダウンリンク・キャリアのうちの１つにおけるリソースが、前記少なくとも１つのアップリンク・キャリアのためのフィードバックを伝送するために割り当てられる、Ｃ７に記載の無線通信装置。
［Ｃ１７］
無線通信のための方法であって、
複数のキャリアのうちの１つにおける送信のために、少なくとも１つのキャリアに関する許可を生成することと、
前記複数のキャリアのうちの１つにおける送信のために、フィードバックを生成することと
を備える方法。
［Ｃ１８］
前記少なくとも１つのキャリアおよび前記複数のキャリアは、異なるタイプのキャリアである、Ｃ１７に記載の方法。
［Ｃ１９］
前記少なくとも１つのキャリアはアップリンク・キャリアであり、前記複数のキャリアはダウンリンク・キャリアである、Ｃ１８に記載の方法。
［Ｃ２０］
前記許可はアップリンク許可である、Ｃ１９に記載の方法。
［Ｃ２１］
前記フィードバックは、復号の成功または失敗を示すインジケーションである、Ｃ１９に記載の方法。
［Ｃ２２］
前記複数のダウンリンク・キャリアのうちの１つにおけるフィードバックのためのリソースを確保することをさらに備える、Ｃ２１に記載の方法。
［Ｃ２３］
前記リソースは、復号の成功または失敗を示すインジケーションを提供する物理チャネルに対応するリソース要素である、Ｃ２２に記載の方法。
［Ｃ２４］
前記確保することは、シングル・キャリア・アクセス端末およびマルチキャリア・アクセス端末のためのリソースを確保することを備える、Ｃ２３に記載の方法。
［Ｃ２５］
前記複数のダウンリンク・キャリアのうちの１つで、複数のアップリンク・キャリアの複数のアップリンク許可を送信することをさらに備える、Ｃ２４に記載の方法。
［Ｃ２６］
前記アップリンク許可は、複数のアップリンク・キャリアのためのマルチキャリア・アップリンク許可である、Ｃ２４に記載の方法。
［Ｃ２７］
前記アップリンク・キャリアにおけるリソース・ブロック数はＮＲＢ１であり、別のアップリンク・キャリアにおけるリソース・ブロック数はＮＲＢ２であり、前記複数のダウンリンク・キャリアのうちの１つにおいて１乃至ＮＲＢ１と符番されたリソース・ブロックが、前記アップリンク・キャリアのためのフィードバックを伝送するために割り当てられ、前記複数のダウンリンク・キャリアのうちの１つにおいて１＋ＮＲＢ１乃至ＮＲＢ１＋ＮＲＢ２と符番されたリソース・ブロックが、前記別のアップリンク・キャリアのためのフィードバックを伝送するために割り当てられる、Ｃ２３に記載の方法。
［Ｃ２８］
前記複数のダウンリンク・キャリアのうちの別の１つにおいて１乃至ＮＲＢ２と符番されたリソース・ブロックが、前記別のアップリンク・キャリアのためのフィードバックを伝送するために割り当てられる、Ｃ２７に記載の方法。
［Ｃ２９］
前記複数のダウンリンク・キャリアのうちの１つにおいて１乃至ＮＲＢ１と符番されたリソース・ブロックが、シングル・キャリア・アクセス端末およびマルチキャリア・アクセス端末のために確保される、Ｃ２８に記載の方法。
［Ｃ３０］
前記複数のダウンリンク・キャリアのうちの１つにおいて１＋ＮＲＢ１乃至ＮＲＢ１＋ＮＲＢ２と符番されたリソース・ブロックが、前記マルチキャリア・アクセス端末のために確保される、Ｃ２９に記載の方法。
［Ｃ３１］
前記複数のダウンリンク・キャリアのうちの別の１つにおいて１乃至ＮＲＢ２と符番されたリソース・ブロックが、前記シングル・キャリア・アクセス端末のために確保される、Ｃ３０に記載の方法。
［Ｃ３２］
前記少なくとも１つのアップリンク・キャリアのアップリンク・リソース・ブロックの数に対応する複数のダウンリンク・キャリアのうちの１つにおけるリソースが、前記少なくとも１つのアップリンク・キャリアのためのフィードバックを伝送するために割り当てられる、Ｃ２３に記載の方法。
［Ｃ３３］
装置であって、
複数のキャリアのうちの１つにおける送信のために、少なくとも１つのキャリアに関する許可を生成する手段と、
前記複数のキャリアのうちの１つにおける送信のために、フィードバックを生成する手段と
を備える装置。
［Ｃ３４］
前記少なくとも１つのキャリアおよび前記複数のキャリアは、異なるタイプのキャリアである、Ｃ３３に記載の装置。
［Ｃ３５］
前記少なくとも１つのキャリアはアップリンク・キャリアであり、前記複数のキャリアはダウンリンク・キャリアである、Ｃ３４に記載の装置。
［Ｃ３６］
前記許可はアップリンク許可である、Ｃ３５に記載の装置。
［Ｃ３７］
前記フィードバックは、復号の成功または失敗を示すインジケーションである、Ｃ３６に記載の装置。
［Ｃ３８］
前記複数のダウンリンク・キャリアのうちの１つにおけるフィードバックのためのリソースを確保する手段をさらに備える、Ｃ３７に記載の装置。
［Ｃ３９］
前記リソースは、復号の成功または失敗を示すインジケーションを提供する物理チャネルに対応するリソース要素である、Ｃ３８に記載の装置。
［Ｃ４０］
シングル・キャリア・アクセス端末およびマルチキャリア・アクセス端末のためのリソースを確保する手段をさらに備える、Ｃ３９に記載の装置。
［Ｃ４１］
前記複数のダウンリンク・キャリアのうちの１つで、複数のアップリンク・キャリアの複数のアップリンク許可を送信する手段をさらに備える、Ｃ４０に記載の装置。
［Ｃ４２］
前記アップリンク許可は、複数のアップリンク・キャリアのためのマルチキャリア・アップリンク許可である、Ｃ４０に記載の装置。
［Ｃ４３］
前記アップリンク・キャリアにおけるリソース・ブロック数はＮＲＢ１であり、別のアップリンク・キャリアにおけるリソース・ブロック数はＮＲＢ２であり、前記複数のダウンリンク・キャリアのうちの１つにおいて１乃至ＮＲＢ１と符番されたリソース・ブロックが、前記アップリンク・キャリアのためのフィードバックを伝送するために割り当てられ、前記複数のダウンリンク・キャリアのうちの１つにおいて１＋ＮＲＢ１乃至ＮＲＢ１＋ＮＲＢ２と符番されたリソース・ブロックが、前記別のアップリンク・キャリアのためのフィードバックを伝送するために割り当てられる、Ｃ３９に記載の装置。
［Ｃ４４］
前記複数のダウンリンク・キャリアのうちの別の１つにおいて１乃至ＮＲＢ２と符番されたリソース・ブロックが、前記別のアップリンク・キャリアのためのフィードバックを伝送するために割り当てられる、Ｃ４３に記載の装置。
［Ｃ４５］
前記複数のダウンリンク・キャリアのうちの１つにおいて１乃至ＮＲＢ１と符番されたリソース・ブロックが、シングル・キャリア・アクセス端末およびマルチキャリア・アクセス端末のために確保される、Ｃ４４に記載の装置。
［Ｃ４６］
前記複数のダウンリンク・キャリアのうちの１つにおいて１＋ＮＲＢ１乃至ＮＲＢ１＋ＮＲＢ２と符番されたリソース・ブロックが、前記マルチキャリア・アクセス端末のために確保される、Ｃ４５に記載の装置。
［Ｃ４７］
前記複数のダウンリンク・キャリアのうちの別の１つにおいて１乃至ＮＲＢ２と符番されたリソース・ブロックが、前記シングル・キャリア・アクセス端末のために確保される、Ｃ４６に記載の装置。
［Ｃ４８］
前記少なくとも１つのアップリンク・キャリアのアップリンク・リソース・ブロックの数に対応する複数のダウンリンク・キャリアのうちの１つにおけるリソースが、前記少なくとも１つのアップリンク・キャリアのためのフィードバックを伝送するために割り当てられる、Ｃ３９に記載の装置。
［Ｃ４９］
コンピュータ読取可能媒体を備えるコンピュータ・プログラム製品であって、
前記コンピュータ読取可能媒体は、
複数のキャリアのうちの１つにおける送信のために、少なくとも１つのキャリアに関する許可を生成するためのコードと、
前記複数のキャリアのうちの１つにおける送信のために、フィードバックを生成するためのコードと
を備える、コンピュータ・プログラム製品。
［Ｃ５０］
前記少なくとも１つのキャリアおよび前記複数のキャリアは、異なるタイプのキャリアである、Ｃ４９に記載のコンピュータ・プログラム製品。
［Ｃ５１］
前記少なくとも１つのキャリアはアップリンク・キャリアであり、前記複数のキャリアはダウンリンク・キャリアである、Ｃ５０に記載のコンピュータ・プログラム製品。
［Ｃ５２］
前記許可はアップリンク許可である、Ｃ５１に記載のコンピュータ・プログラム製品。
［Ｃ５３］
前記フィードバックは、復号の成功または失敗を示すインジケーションである、Ｃ５２に記載のコンピュータ・プログラム製品。
［Ｃ５４］
前記コンピュータ読取可能媒体はさらに、前記複数のダウンリンク・キャリアのうちの１つにおけるフィードバックのためのリソースを確保するためのコードを備える、Ｃ５３に記載のコンピュータ・プログラム製品。
［Ｃ５５］
前記リソースは、復号の成功または失敗を示すインジケーションを提供する物理チャネルに対応するリソース要素である、Ｃ５４に記載のコンピュータ・プログラム製品。
［Ｃ５６］
前記コンピュータ読取可能媒体はさらに、シングル・キャリア・アクセス端末およびマルチキャリア・アクセス端末のためのリソースを確保するためのコードを備える、Ｃ５５に記載のコンピュータ・プログラム製品。
［Ｃ５７］
前記コンピュータ読取可能媒体はさらに、前記複数のダウンリンク・キャリアのうちの１つで、複数のアップリンク・キャリアの複数のアップリンク許可を送信するためのコードを備える、Ｃ５６に記載のコンピュータ・プログラム製品。
［Ｃ５８］
前記アップリンク許可は、複数のアップリンク・キャリアのためのマルチキャリア・アップリンク許可である、Ｃ５６に記載のコンピュータ・プログラム製品。
［Ｃ５９］
前記アップリンク・キャリアにおけるリソース・ブロック数はＮＲＢ１であり、別のアップリンク・キャリアにおけるリソース・ブロック数はＮＲＢ２であり、前記複数のダウンリンク・キャリアのうちの１つにおいて１乃至ＮＲＢ１と符番されたリソース・ブロックが、前記アップリンク・キャリアのためのフィードバックを伝送するために割り当てられ、前記複数のダウンリンク・キャリアのうちの１つにおいて１＋ＮＲＢ１乃至ＮＲＢ１＋ＮＲＢ２と符番されたリソース・ブロックが、前記別のアップリンク・キャリアのためのフィードバックを伝送するために割り当てられる、Ｃ５５に記載のコンピュータ・プログラム製品。
［Ｃ６０］
前記複数のダウンリンク・キャリアのうちの別の１つにおいて１乃至ＮＲＢ２と符番されたリソース・ブロックが、前記別のアップリンク・キャリアのためのフィードバックを伝送するために割り当てられる、Ｃ５９に記載のコンピュータ・プログラム製品。
［Ｃ６１］
前記複数のダウンリンク・キャリアのうちの１つにおいて１乃至ＮＲＢ１と符番されたリソース・ブロックが、シングル・キャリア・アクセス端末およびマルチキャリア・アクセス端末のために確保される、Ｃ６０に記載のコンピュータ・プログラム製品。
［Ｃ６２］
前記複数のダウンリンク・キャリアのうちの１つにおいて１＋ＮＲＢ１乃至ＮＲＢ１＋ＮＲＢ２と符番されたリソース・ブロックが、前記マルチキャリア・アクセス端末のために確保される、Ｃ６１に記載のコンピュータ・プログラム製品。
［Ｃ６３］
前記複数のダウンリンク・キャリアのうちの別の１つにおいて１乃至ＮＲＢ２と符番されたリソース・ブロックが、前記シングル・キャリア・アクセス端末のために確保される、Ｃ６２に記載のコンピュータ・プログラム製品。
［Ｃ６４］
前記少なくとも１つのアップリンク・キャリアのアップリンク・リソース・ブロックの数に対応する複数のダウンリンク・キャリアのうちの１つにおけるリソースが、前記少なくとも１つのアップリンク・キャリアのためのフィードバックを伝送するために割り当てられる、Ｃ５５に記載のコンピュータ・プログラム製品。
［Ｃ６５］
無線通信装置であって、
複数のキャリアのうちの１つにおける送信のために、少なくとも１つのキャリアに関する許可を受信し、
前記許可が受信された複数のキャリアのうちの何れか１つに基づいて、前記複数のキャリアのうち、フィードバックを受信する１つを判定する
ように構成されたコントローラを備える、無線通信装置。
［Ｃ６６］
前記少なくとも１つのキャリアおよび前記複数のキャリアは、異なるタイプのキャリアである、Ｃ６５に記載の無線通信装置。
［Ｃ６７］
前記少なくとも１つのキャリアはアップリンク・キャリアであり、前記複数のキャリアはダウンリンク・キャリアである、Ｃ６６に記載の無線通信装置。
［Ｃ６８］
前記許可はアップリンク許可である、Ｃ６７に記載の無線通信装置。
［Ｃ６９］
前記フィードバックは、復号の成功または失敗を示すインジケーションである、Ｃ６８に記載の無線通信装置。
［Ｃ７０］
前記コントローラはさらに、前記複数のダウンリンク・キャリアのうちの１つにおけるフィードバックのためのリソースを確保するように構成された、Ｃ６９に記載の無線通信装置。
［Ｃ７１］
前記リソースは、復号の成功または失敗を示すインジケーションを提供する物理チャネルに対応するリソース要素である、Ｃ７０に記載の無線通信装置。
［Ｃ７２］
前記コントローラはさらに、ロング・ターム・イボリューション（ＬＴＥ）アクセス端末およびＬＴＥアドバンスト・アクセス端末のためのＰＨＩＣＨリソースを確保するように構成された、Ｃ７１に記載の無線通信装置。
［Ｃ７３］
前記コントローラはさらに、シングル・キャリア・アクセス端末およびマルチキャリア・アクセス端末のためのリソースを確保するように構成された、Ｃ７２に記載の無線通信装置。
［Ｃ７４］
前記アップリンク許可は、複数のアップリンク・キャリアのためのマルチキャリア・アップリンク許可である、Ｃ７２に記載の無線通信装置。
［Ｃ７５］
前記アップリンク・キャリアにおけるリソース・ブロック数はＮＲＢ１であり、別のアップリンク・キャリアにおけるリソース・ブロック数はＮＲＢ２であり、前記複数のダウンリンク・キャリアのうちの１つにおいて１乃至ＮＲＢ１と符番されたリソース・ブロックが、前記アップリンク・キャリアのためのフィードバックを伝送するために割り当てられ、前記複数のダウンリンク・キャリアのうちの１つにおいて１＋ＮＲＢ１乃至ＮＲＢ１＋ＮＲＢ２と符番されたリソース・ブロックが、前記別のアップリンク・キャリアのためのフィードバックを伝送するために割り当てられる、Ｃ７１に記載の無線通信装置。
［Ｃ７６］
前記複数のダウンリンク・キャリアのうちの別の１つにおいて１乃至ＮＲＢ２と符番されたリソース・ブロックが、前記別のアップリンク・キャリアのためのフィードバックを伝送するために割り当てられる、Ｃ７５に記載の無線通信装置。
［Ｃ７７］
前記複数のダウンリンク・キャリアのうちの１つにおいて１乃至ＮＲＢ１と符番されたリソース・ブロックが、シングル・キャリア・アクセス端末およびマルチキャリア・アクセス端末のために確保される、Ｃ７６に記載の無線通信装置。
［Ｃ７８］
前記複数のダウンリンク・キャリアのうちの１つにおいて１＋ＮＲＢ１乃至ＮＲＢ１＋ＮＲＢ２と符番されたリソース・ブロックが、前記マルチキャリア・アクセス端末のために確保される、Ｃ７７に記載の無線通信装置。
［Ｃ７９］
前記複数のダウンリンク・キャリアのうちの別の１つにおいて１乃至ＮＲＢ２と符番されたリソース・ブロックが、前記シングル・キャリア・アクセス端末のために確保される、Ｃ７８に記載の無線通信装置。
［Ｃ８０］
前記少なくとも１つのアップリンク・キャリアのアップリンク・リソース・ブロックの数に対応する複数のダウンリンク・キャリアのうちの１つにおけるリソースが、前記少なくとも１つのアップリンク・キャリアのためのフィードバックを伝送するために割り当てられる、Ｃ７１に記載の無線通信装置。
［Ｃ８１］
無線通信のための方法であって、
複数のキャリアのうちの１つにおける送信のために、少なくとも１つのキャリアに関する許可を受信することと、
前記許可が受信された複数のキャリアのうちの何れか１つに基づいて、前記複数のキャリアのうち、フィードバックを受信する１つを判定することと
を備える方法。
［Ｃ８２］
前記少なくとも１つのキャリアおよび前記複数のキャリアは、異なるタイプのキャリアである、Ｃ８１に記載の方法。
［Ｃ８３］
前記少なくとも１つのキャリアはアップリンク・キャリアであり、前記複数のキャリアはダウンリンク・キャリアである、Ｃ８２に記載の方法。
［Ｃ８４］
前記許可はアップリンク許可である、Ｃ８３に記載の方法。
［Ｃ８５］
前記フィードバックは、復号の成功または失敗を示すインジケーションである、Ｃ８４に記載の方法。
［Ｃ８６］
前記複数のダウンリンク・キャリアのうちの１つにおけるフィードバックのためのリソースを確保することをさらに備える、Ｃ８５に記載の方法。
［Ｃ８７］
前記リソースは、復号の成功または失敗を示すインジケーションを提供する物理チャネルに対応するリソース要素である、Ｃ８６に記載の方法。
［Ｃ８８］
前記確保することは、シングル・キャリア・アクセス端末およびマルチキャリア・アクセス端末のためのリソースを確保することを備える、Ｃ８７に記載の方法。
［Ｃ８９］
前記複数のダウンリンク・キャリアのうちの１つで、複数のアップリンク・キャリアの複数のアップリンク許可を受信することをさらに備える、Ｃ８８に記載の方法。
［Ｃ９０］
前記アップリンク許可は、複数のアップリンク・キャリアのためのマルチキャリア・アップリンク許可である、Ｃ８８に記載の方法。
［Ｃ９１］
前記アップリンク・キャリアにおけるリソース・ブロック数はＮＲＢ１であり、別のアップリンク・キャリアにおけるリソース・ブロック数はＮＲＢ２であり、前記複数のダウンリンク・キャリアのうちの１つにおいて１乃至ＮＲＢ１と符番されたリソース・ブロックが、前記アップリンク・キャリアのためのフィードバックを伝送するために割り当てられ、前記複数のダウンリンク・キャリアのうちの１つにおいて１＋ＮＲＢ１乃至ＮＲＢ１＋ＮＲＢ２と符番されたリソース・ブロックが、前記別のアップリンク・キャリアのためのフィードバックを伝送するために割り当てられる、Ｃ８７に記載の方法。
［Ｃ９２］
前記複数のダウンリンク・キャリアのうちの別の１つにおいて１乃至ＮＲＢ２と符番されたリソース・ブロックが、前記別のアップリンク・キャリアのためのフィードバックを伝送するために割り当てられる、Ｃ９１に記載の方法。
［Ｃ９３］
前記複数のダウンリンク・キャリアのうちの１つにおいて１乃至ＮＲＢ１と符番されたリソース・ブロックが、シングル・キャリア・アクセス端末およびマルチキャリア・アクセス端末のために確保される、Ｃ９２に記載の方法。
［Ｃ９４］
前記複数のダウンリンク・キャリアのうちの１つにおいて１＋ＮＲＢ１乃至ＮＲＢ１＋ＮＲＢ２と符番されたリソース・ブロックが、前記マルチキャリア・アクセス端末のために確保される、Ｃ９３に記載の方法。
［Ｃ９５］
前記複数のダウンリンク・キャリアのうちの別の１つにおいて１乃至ＮＲＢ２と符番されたリソース・ブロックが、前記シングル・キャリア・アクセス端末のために確保される、Ｃ９４に記載の方法。
［Ｃ９６］
前記少なくとも１つのアップリンク・キャリアのアップリンク・リソース・ブロックの数に対応する複数のダウンリンク・キャリアのうちの１つにおけるリソースが、前記少なくとも１つのアップリンク・キャリアのためのフィードバックを伝送するために割り当てられる、Ｃ８７に記載の方法。
［Ｃ９７］
装置であって、
複数のキャリアのうちの１つにおける送信のために、少なくとも１つのキャリアに関する許可を受信する手段と、
前記許可が受信された複数のキャリアのうちの何れか１つに基づいて、前記複数のキャリアのうち、フィードバックを受信する１つを判定する手段と
を備える装置。
［Ｃ９８］
前記少なくとも１つのキャリアおよび前記複数のキャリアは、異なるタイプのキャリアである、Ｃ９７に記載の装置。
［Ｃ９９］
前記少なくとも１つのキャリアはアップリンク・キャリアであり、前記複数のキャリアはダウンリンク・キャリアである、Ｃ９８に記載の装置。
［Ｃ１００］
前記許可はアップリンク許可である、Ｃ９９に記載の装置。
［Ｃ１０１］
前記フィードバックは、復号の成功または失敗を示すインジケーションである、Ｃ１００に記載の装置。
［Ｃ１０２］
前記複数のダウンリンク・キャリアのうちの１つにおけるフィードバックのためのリソースを確保する手段をさらに備える、Ｃ１０１に記載の装置。
［Ｃ１０３］
前記リソースは、復号の成功または失敗を示すインジケーションを提供する物理チャネルに対応するリソース要素である、Ｃ１０２に記載の装置。
［Ｃ１０４］
シングル・キャリア・アクセス端末およびマルチキャリア・アクセス端末のためのリソースを確保する手段をさらに備える、Ｃ１０３に記載の装置。
［Ｃ１０５］
前記複数のダウンリンク・キャリアのうちの１つで、複数のアップリンク・キャリアの複数のアップリンク許可を受信する手段をさらに備える、Ｃ１０４に記載の装置。
［Ｃ１０６］
前記アップリンク許可は、複数のアップリンク・キャリアのためのマルチキャリア・アップリンク許可である、Ｃ１０４に記載の装置。
［Ｃ１０７］
前記アップリンク・キャリアにおけるリソース・ブロック数はＮＲＢ１であり、別のアップリンク・キャリアにおけるリソース・ブロック数はＮＲＢ２であり、前記複数のダウンリンク・キャリアのうちの１つにおいて１乃至ＮＲＢ１と符番されたリソース・ブロックが、前記アップリンク・キャリアのためのフィードバックを伝送するために割り当てられ、前記複数のダウンリンク・キャリアのうちの１つにおいて１＋ＮＲＢ１乃至ＮＲＢ１＋ＮＲＢ２と符番されたリソース・ブロックが、前記別のアップリンク・キャリアのためのフィードバックを伝送するために割り当てられる、Ｃ１０３に記載の装置。
［Ｃ１０８］
前記複数のダウンリンク・キャリアのうちの別の１つにおいて１乃至ＮＲＢ２と符番されたリソース・ブロックが、前記別のアップリンク・キャリアのためのフィードバックを伝送するために割り当てられる、Ｃ１０７に記載の装置。
［Ｃ１０９］
前記複数のダウンリンク・キャリアのうちの１つにおいて１乃至ＮＲＢ１と符番されたリソース・ブロックが、単一のキャリア・アクセス端末およびマルチキャリア・アクセス端末のために確保される、Ｃ１０８に記載の装置。
［Ｃ１１０］
前記複数のダウンリンク・キャリアのうちの１つにおいて１＋ＮＲＢ１乃至ＮＲＢ１＋ＮＲＢ２と符番されたリソース・ブロックが、前記マルチキャリア・アクセス端末のために確保される、Ｃ１０９に記載の装置。
［Ｃ１１１］
前記複数のダウンリンク・キャリアのうちの別の１つにおいて１乃至ＮＲＢ２と符番されたリソース・ブロックが、前記シングル・キャリア・アクセス端末のために確保される、Ｃ１１０に記載の装置。
［Ｃ１１２］
前記少なくとも１つのアップリンク・キャリアのアップリンク・リソース・ブロックの数に対応する複数のダウンリンク・キャリアのうちの１つにおけるリソースが、前記少なくとも１つのアップリンク・キャリアのためのフィードバックを伝送するために割り当てられる、Ｃ１０３に記載の装置。
［Ｃ１１３］
コンピュータ読取可能媒体を備えるコンピュータ・プログラム製品であって、
前記コンピュータ読取可能媒体は、
複数のキャリアのうちの１つにおける送信のために、少なくとも１つのキャリアに関する許可を受信するためのコードと、
前記許可が受信された複数のキャリアのうちの何れか１つに基づいて、前記複数のキャリアのうち、フィードバックを受信する１つを判定するためのコードと
を備えるコンピュータ・プログラム製品。
［Ｃ１１４］
前記少なくとも１つのキャリアおよび前記複数のキャリアは、異なるタイプのキャリアである、Ｃ１１３に記載のコンピュータ・プログラム製品。
［Ｃ１１５］
前記少なくとも１つのキャリアはアップリンク・キャリアであり、前記複数のキャリアはダウンリンク・キャリアである、Ｃ１１４に記載のコンピュータ・プログラム製品。
［Ｃ１１６］
前記許可はアップリンク許可である、Ｃ１１５に記載のコンピュータ・プログラム製品。
［Ｃ１１７］
前記フィードバックは、復号の成功または失敗を示すインジケーションである、Ｃ１１６に記載のコンピュータ・プログラム製品。
［Ｃ１１８］
前記コンピュータ読取可能媒体はさらに、前記複数のダウンリンク・キャリアのうちの１つにおけるフィードバックのためのリソースを確保するためのコードを備える、Ｃ１１７に記載のコンピュータ・プログラム製品。
［Ｃ１１９］
前記リソースは、復号の成功または失敗を示すインジケーションを提供する物理チャネルに対応するリソース要素である、Ｃ１１８に記載のコンピュータ・プログラム製品。
［Ｃ１２０］
前記コンピュータ読取可能媒体はさらに、単一キャリア・アクセス端末およびマルチキャリア・アクセス端末のためのリソースを確保するためのコードを備える、Ｃ１１９に記載のコンピュータ・プログラム製品。
［Ｃ１２１］
前記コンピュータ読取可能媒体はさらに、前記複数のダウンリンク・キャリアのうちの１つで、複数のアップリンク・キャリアの複数のアップリンク許可を受信するためのコードを備える、Ｃ１２０に記載のコンピュータ・プログラム製品。
［Ｃ１２２］
前記アップリンク許可は、複数のアップリンク・キャリアのためのマルチキャリア・アップリンク許可である、Ｃ１２０に記載のコンピュータ・プログラム製品。
［Ｃ１２３］
前記アップリンク・キャリアにおけるリソース・ブロック数はＮＲＢ１であり、別のアップリンク・キャリアにおけるリソース・ブロック数はＮＲＢ２であり、前記複数のダウンリンク・キャリアのうちの１つにおいて１乃至ＮＲＢ１と符番されたリソース・ブロックが、前記アップリンク・キャリアのためのフィードバックを伝送するために割り当てられ、前記複数のダウンリンク・キャリアのうちの１つにおいて１＋ＮＲＢ１乃至ＮＲＢ１＋ＮＲＢ２と符番されたリソース・ブロックが、前記別のアップリンク・キャリアのためのフィードバックを伝送するために割り当てられる、Ｃ１１９に記載のコンピュータ・プログラム製品。
［Ｃ１２４］
前記複数のダウンリンク・キャリアのうちの別の１つにおいて１乃至ＮＲＢ２と符番されたリソース・ブロックが、前記別のアップリンク・キャリアのためのフィードバックを伝送するために割り当てられる、Ｃ１２３に記載のコンピュータ・プログラム製品。
［Ｃ１２５］
前記複数のダウンリンク・キャリアのうちの１つにおいて１乃至ＮＲＢ１と符番されたリソース・ブロックが、単一のキャリア・アクセス端末およびマルチキャリア・アクセス端末のために確保される、Ｃ１２４に記載のコンピュータ・プログラム製品。
［Ｃ１２６］
前記複数のダウンリンク・キャリアのうちの１つにおいて１＋ＮＲＢ１乃至ＮＲＢ１＋ＮＲＢ２と符番されたリソース・ブロックが、前記マルチキャリア・アクセス端末のために確保される、Ｃ１２５に記載のコンピュータ・プログラム製品。
［Ｃ１２７］
前記複数のダウンリンク・キャリアのうちの別の１つにおいて１乃至ＮＲＢ２と符番されたリソース・ブロックが、前記シングル・キャリア・アクセス端末のために確保される、Ｃ１２６に記載のコンピュータ・プログラム製品。
［Ｃ１２８］
前記少なくとも１つのアップリンク・キャリアのアップリンク・リソース・ブロックの数に対応する複数のダウンリンク・キャリアのうちの１つにおけるリソースが、前記少なくとも１つのアップリンク・キャリアのためのフィードバックを伝送するために割り当てられる、Ｃ１１９に記載のコンピュータ・プログラム製品。
【図１】
0005394566.tif 000002
【図２】
0005394566.tif 000003
【図３】
0005394566.tif 000004
【図４】
0005394566.tif 000005
【図５】
0005394566.tif 000006
【図６】
0005394566.tif 000007
【図７】
0005394566.tif 000008
【図８】
0005394566.tif 000009
【図９】
0005394566.tif 000010
【図１０】
0005394566.tif 000011
【図１１】
0005394566.tif 000012
【図１２】
0005394566.tif 000013